Podtech/llm-jp-corpus-v4-ja_patent huggingface dataset:
(57)【要約】      （修正有） 【課題】近紫外線LEDを使った小型で軽量な携帯型の光線治療用照射装置を提供する。【解決手段】装着具と、装着具に固定された光源支持部と、光源支持部に装着された光源とからなり、前記光源を光源支持部に対して着脱自在にしたことを特長とする。また、光源支持部は湾曲状の断面形状を有し、装着した光源部と照射箇所への間に一定の隙間を形成し得る。【選択図】図１
0003141145.tif 000002
【実用新案登録請求の範囲】
【請求項１】
装着具と、該装着具に固定された光源支持部と、光源支持部に装着された光源とからなり、前記光源を光源支持部に対して着脱自在にしたことを特長とした近紫外線LED搭載の照射装置。
【請求項２】
光源支持部は湾曲状の断面形状を有し、装着した光源部と照射箇所への間に一定の隙間を形成し得る請求項１の近紫外線LED搭載の照射装置。
【請求項３】
光源部は所定の波長をそなえた近紫外線ＬＥＤを選択的に単数または複数配備することを特徴とする、請求項１の近紫外線LED搭載の照射装置。
【請求項４】
光源部はそれ自体に電源・電源スイッチ・タイマー機能・音あるいは振動にて開始や終了を知らせる機能を備えていることを特徴とする、請求項１の近紫外線LED搭載の照射装置。
【考案の詳細な説明】
【技術分野】
【０００１】
本考案は、皮膚の疾患部に、目的の波長をそなえた光源部をワンタッチで固定し、患部へのスポット照射治療が可能なバンドで、かつ装着する者にとって、照射中に必要以上の行動を妨げないよう配慮された近紫外線LED搭載の照射装置。
【背景技術】
【０００２】
光線療法は世界的にも長い歴史があり、日光治療法による皮膚病予防は紀元前には用いられていたとされる。その後、日光に限りなく近い波長をもつ人工光源LEDの開発により、それらを用いた光線療法が可能となり研究され続けている。名古屋市立大学での研究例に代表されるように皮膚疾患へ光線治療の手段として認知されつつある状況にある。
【０００３】
近年、様々な波長・特性をもつLEDの開発により、光線療法に利用可能なLEDの種類が増大した。またこれらは超小型・安価・点灯中も高温にならないという特徴を有し、従来より効率のよい照射治療装置の実現化が期待される。
【特許文献１】特開2000−２１７９３９号  公報
【特許文献２】特開2007−１５１８０７号  公報
【考案の開示】
【考案が解決しようとする課題】
【０００４】
LEDのめざましい進歩により、選択的に特定の波長域をもつ光線治療用照射装置の実現が期待される中、現在の治療装置はおおがかりであること、波長の選択性が乏しいなどの問題があり広く一般に普及するにはいたっていない。この現状をふまえ、装置としての小型軽量化、取扱いの簡便化、量産可能なしくみを解決する。またそれらの実現は、装着する者への、物理的・精神的負担を軽減することを可能にする。
【課題を解決するための手段】
【０００５】
上記目的を達成すべく本考案は、取り外し可能な電池内蔵型光源部に対し各種設定が可能で、疾患に応じての照射の程度が構成できるようにする。
【０００６】
光源部は本体からの取り外しができることにより、本体の皮膚に直接触れる部分の素材の除菌・洗浄が用意にできるようにする。
【０００７】
また、本体は素材をシリコーンゴムとし、装着具と支持部を一体型にすることにより、簡易に器具の整形が可能であるため、量産が可能である。
【考案の効果】
【０００８】
上述したように、本考案の装置は、小型軽量・装着が簡易・携帯性があり、疾患に応じた治療装置を提供できる。
【０００９】
装着具と支持部が一体型となった本体を除菌・洗浄を可能とし、さらに量産が可能な素材で提供することにより、患者の精神的・物理的な負担を軽減することができる。
【考案を実施するための最良の形態】
【００１０】
以下に図面を参照して本考案の実施の形態について説明する。
電源コードを不要にするため、図４に記載の光源部を電池内蔵型とする。さらに必要な時間のみ照射することができるよう、光源部は電源スイッチ・タイマー機能・音あるいは振動にて開始や終了を知らせる機能を備える。
【００１１】
疾患部に対して有効な波長を効率よく照射するため、光源部内側には図５のようにLEDランプを選択的に配備できるようにする。またそれは装着具と光源支持部が一体となった本体から着脱可能で、光源部は各疾患に合わせて最適な波長の選択や大きさをカスタマイズできるようにする。
【００１２】
光源部と本体を着脱可能な構造にすることにより、本体の、皮膚に接触する部分の除菌・洗浄が容易である。これらは使用時の衛生面での不快感・装着時の違和感を軽減させる。
【００１３】
これら装置の皮膚に直接触れる部分はシリコーンゴム製等、薬品洗浄に耐えうる、ソフト感と弾力性があり劣化がない部材を用いる。
【００１４】
ベルト一体型のシリコーンゴム製とすることで、各種型枠による整形が容易で量産が可能なため、従来のものに比べ、安価に提供できる。
【００１５】
装着具部分は面ファスナーによって固定するため、着脱が容易である。このとき装着具は１本あるいは２本あるいは複数でも良い。
【図面の簡単な説明】
【００１６】
【図１】本考案を実施した照射装置全体の構成図である。
【図２】本考案を実施した照射装置全体の裏面図である。
【図３】本考案を実施した照射装置の取り付け図である。
【図４】本考案を実施した光源部の表面図である。
【図５】本考案を実施した光源部の裏面図である。
【図６】本考案を実施した光源部の側面図である。
【図７】本考案を実施した装置の、光源部を取り外した状態での、本体の支持部表面図である。
【図８】本考案を実施した装置の、光源部を取り外した状態での、本体の支持部裏面図である。
【図９】本考案を実施した装置の、光源部を取り外した状態での、本体の支持部側面図である。
【図１】
0003141145.tif 000003
【図２】
0003141145.tif 000004
【図３】
0003141145.tif 000005
【図４】
0003141145.tif 000006
【図５】
0003141145.tif 000007
【図６】
0003141145.tif 000008
【図７】
0003141145.tif 000009
【図８】
0003141145.tif 000010
【図９】
0003141145.tif 000011
(57)【要約】【課題】  バケットが障害物と衝突したときに、運転手がけがを負ったり、バケット等が破損したりすることを防止できるバケットの提供。【解決手段】  底壁１ａと後壁１ｂとを備え、底壁１ａにはフォークの爪３ａを差し込むフォーク差込部４を有し、フォーク差込部４にフォークの爪３ａを差し込んでフォーク３に前後方向に移動可能に取付けられ、後壁１ｂと産業車両本体側の前記後壁に対峙する部分３ｂとの間に緩衝材２を設けてあり、緩衝材２は、合成ゴムで中空部を有する筒状に形成したもの又はバネであり、障害物と衝突したときに緩衝材を押し潰しながら後退して衝突の衝撃を吸収する。【選択図】      図１
0003141131.tif 000002
【実用新案登録請求の範囲】
【請求項１】
底壁（１ａ）と後壁（１ｂ）とを備え、底壁（１ａ）にはフォークの爪（３ａ）を差し込むフォーク差込部（４）を有し、フォーク差込部（４）にフォークの爪（３ａ）を差し込んでフォーク（３）に前後方向に移動可能に取付けられ、後壁（１ｂ）と産業車両本体側の前記後壁に対峙する部分（３ｂ）との間に緩衝材（２）を設けてあり、緩衝材（２）は、合成ゴムで中空部を有する筒状に形成したもの又はバネであり、障害物と衝突したときに緩衝材を押し潰しながら後退して衝突の衝撃を吸収することを特徴とするバケット。
【考案の詳細な説明】
【技術分野】
【０００１】
本考案は、フォークリフト等の産業車両のフォークに取付けられるバケットに関する。
【背景技術】
【０００２】
従来より、フォークリフトのフォークにバケットを取付けて除雪作業が行われている。従来の除雪用バケットは、図３に示すように、バケット１００の後壁がフォーク３の前面に接する状態で取付けられていた。  
【考案の開示】
【考案が解決しようとする課題】
【０００３】
上記のようにフォークにバケットを取付けて除雪作業を行っているときに、路面にマンホール等の障害物があっても、路面が積雪により見えないために運転手は減速などの対処ができずにバケットが障害物と衝突し、その衝撃は大きく運転手に直接掛かり身体的負担が大きく、時としてけがを負う事故も起きている状況である。また衝突時に、障害物やバケット、及びフォークリフトが破損することも多く、その修繕費用も大きいものであった。
本考案は以上に述べた実情に鑑みてなされたものであって、バケットが障害物と衝突したときに、運転手がけがを負ったり、バケット等が破損したりすることを防止できるバケットの提供を目的とする。
【課題を解決するための手段】
【０００４】
上記の課題を達成するために本考案のバケットは、底壁と後壁とを備え、底壁にはフォークの爪を差し込むフォーク差込部を有し、フォーク差込部にフォークの爪を差し込んでフォークに前後方向に移動可能に取付けられ、後壁と産業車両本体側の前記後壁に対峙する部分との間に緩衝材を設けてあり、緩衝材は、合成ゴムで中空部を有する筒状に形成したもの又はバネであり、障害物と衝突したときに緩衝材を押し潰しながら後退して衝突の衝撃を吸収することを特徴とする。
【考案の効果】
【０００５】
本考案のバケットは、底壁のフォーク差込部にフォークの爪を差し込んで産業車両のフォークに前後方向に移動可能に取付けられ、後壁と産業車両本体側の前記後壁に対峙する部分との間に緩衝材を設けてあるので、マンホール等の障害物にバケットが衝突すると、バケットがフォークの爪に沿って後退し、それに伴って緩衝材の働きで衝撃を吸収するため、運転手に衝撃が伝わらず運転手のけがを防止でき、また障害物、フォークリフト等に与えるダメージを軽減することができる。
【考案を実施するための最良の形態】
【０００６】
以下、本考案の実施の形態を図面に基づいて説明する。図１と図２は、本考案のバケット１の一実施形態であって、フォークリフトのフォーク３に取付ける除雪用バケットを示している。本バケット１は、図２に示すように、底壁１ａと後壁１ｂと左右の側壁１ｃ，１ｃとで、上方と前方が開放した箱状に形成されており、底壁１ａの下面にフォークの爪３ａを差し込むフォーク差込部４を有しており、フォーク差込部４にフォークの爪３ａを差し込むことによりフォーク３に取付けられている。フォーク差込部４は、爪３ａの先端側と根元側とに配置され、根元側のフォーク差込部４の方が先端側のものよりも背が高くなっており、そのためバケットの底壁１ａは前方側に向かって下り勾配で傾斜するようになっている。フォーク３は、マスト７に沿って上下に移動するキャリッジ６への取付部３ｂが上下方向に形成され、その下端部から爪３ａが前方にのびており、略Ｌ字形に形成されている。
バケットの後壁１ｂには、図２（ｃ）に示すように、左右２箇所に緩衝材２が取付けてあり、この緩衝材２は、図２（ａ），（ｂ）に示すように、後壁１ｂとフォーク３のキャリッジへの取付部３ｂとの間に位置するように配置してある。緩衝材２は、図２（ａ）に示すように、合成ゴムで、中空部２ａを有する筒状に形成されている。
【０００７】
本バケット１をフォーク３に取付けて除雪作業を行っているときに、マンホール等の障害物にバケット１先端が衝突すると、バケット１は爪３ａに沿って後退し、このとき図２（ｄ）に示すように、緩衝材２がつぶれて衝突の衝撃を吸収する。そのため、運転手に衝撃が伝わらず、運転手のけがをなくすことができる。また、障害物やバケット、フォークリフトが破損することも防止できる。
【０００８】
本考案は、以上に述べた実施形態に限定されない。緩衝材は、合成ゴム製のものに限らず、コイルバネや板バネ等のバネや、他の合成樹脂で形成することもできる。また緩衝材は、フォーク、キャリッジ側に取付けることもできる。本バケットは、フォークリフト以外の他の産業車両、例えばホイルローダに用いることもできる。
【図面の簡単な説明】
【０００９】
【図１】本考案のバケットの一実施形態であって、フォークリフトに取付けた状態を示す側面図である。
【図２】（ａ）は本考案のバケットの一実施形態を示す平面図、（ｂ）は同バケットの側面図、（ｃ）は同バケットの背面図、（ｄ）は除雪作業中にバケットが障害物に衝突したときの（ａ）のＡ部拡大図である。
【図３】従来の除雪用のバケットを示す側面図である。
【符号の説明】
【００１０】
１  バケット
１ａ  底壁、１ｂ  後壁、１ｃ  側壁
２  緩衝材
２ａ  中空部
３  フォーク
３ａ  爪、３ｂ  キャリッジへの取付部（後壁に対峙する部分）
４  フォーク差込部
５  バックレスト
６  キャリッジ
７  マスト
【図１】
0003141131.tif 000003
【図２】
0003141131.tif 000004
【図３】
0003141131.tif 000005
(57)【要約】【課題】  本考案は、従来まで、ボーリング孔口元保護の目的のためだけに用いられていたＳＧＰ管にスクリーンを設け、口元保護だけでなく地下水処理能力も兼ね備える。【解決手段】  本考案は、従来まで口元保護に用いられてきたＳＧＰ管２の上半部に井戸用スクリーン１を電気抵抗溶接することにより、地下水処理能力を兼ね備えた口元保護管となる。【選択図】図１
0003141105.tif 000002
【実用新案登録請求の範囲】
【請求項１】
同径のＳＧＰ管および井戸用スクリーンを長手方向に１／２切断し、それぞれの切断面を合わせ、電気抵抗溶接により接合させることにより、地すべり対策の集水ボーリング孔口元の保護と、集水ボーリング孔口元付近の地表水および地下水の排水能力を備えた特徴を持つスクリーン付きＳＧＰ管。
【考案の詳細な説明】
【技術分野】
【０００１】  本考案は、地すべり対策工事における集水ボーリング工施工後の口元保護と排水処理機能を兼ね備えた、ガス管に関するものである。
【背景技術】
【０００２】  従来、地すべり対策に用いられる集水ボーリング工では、ボーリング孔口元保護の目的のためにＳＧＰ管が使用されていた。
【考案の開示】
【考案が解決しようとする課題】
【０００３】  集水ボーリング工における最大の目的は、地下水の排除にある。従来までは、ボーリング孔口元保護の目的のためだけにＳＧＰ管を用いていたが、これにはボーリング孔口元付近の排水能力が備わっておらず、ボーリング孔口元付近および集水井内ライナープレート背面の水処理を考慮していないのが現状である。
【課題を解決するための手段】
【０００４】  ＳＧＰ管上部を開口型にすることで、排水能力を得ることができる。その形状は、ＳＧＰ管上部半分を、井戸用ストレーナーに置き換えることにより、排水能力を兼ね備えた保護管となる。
【考案の効果】
【０００５】  従来までの、ボーリング孔口元保護のためだけに用いられてきたＳＧＰ管上面部に、集水機能を持つストレーナーを接合することにより、口元保護の目的を失わず、かつ集水ボーリング孔口元付近および集水井内ライナープレート背面の排水能力を持つ保護管となる。このストレーナー付きＳＧＰ管を設置することにより、更なる地山の安定が図られることになる。
【考案を実施するための最良の形態】
【０００６】  同径（呼び径８０Ａまたは４０Ａ）のＳＧＰ管および井戸用スクリーンを長手方向に１／２切断し、それぞれの切断面を合わせ、電気抵抗溶接により接合する。また、溶接するスクリーンの開口間隔は０．１〜５．０ｍｍから管理技術者の判断により選択できるため、土質に応じたスクリーン付きＳＧＰ管の設置が可能となる。
【産業上の利用可能性】
【０００７】  近年、集中豪雨等により地すべり被害が多発している。一般的に最も安価で効果的な地すべり対策は地下水排除工である。地下水処理が、地すべり対策に最も効果的な工法のひとつであることからも、排水処理の重要性がわかる。本案のストレーナ付きＳＧＰ管を用いることにより、ボーリング孔口元付近および集水井内ライナープレート背面の地下水を排除することになる。これにより、更なる地山の安定が期待されることから、地すべり対策の集水ボーリング孔口元保護に用いられることとなる。
【実施例】
【０００８】  以下、添付図面に従って一実施例を説明する。同径（呼び径８０Ａまたは４０Ａ）のＳＧＰ管２および井戸用スクリーン１を長手方向に１／２切断し、それぞれの切断面を合わせ、上半部に１井戸用スクリーン、下半部に２ＳＧＰガス管を配置し、電気抵抗溶接により接合する。【０００９】  長手方向の長さは１．０〜５．５ｍ、スクリーンの開口幅は０．１〜５．０ｍｍまでの範囲で土質に応じて選択できる。
【図面の簡単な説明】
【００１０】
【図１】本考案のスクリーン付きＳＧＰガス管の一実施例を示す側面図である。
【図２】本スクリーン付きＳＧＰ管の正面図である。
【図３】本スクリーン付きＳＧＰ管の立体図である。
【符号の説明】
【００１１】    １  井戸用スクリーン
２  ＳＧＰ管
【図１】
0003141105.tif 000003
【図２】
0003141105.tif 000004
【図３】
0003141105.tif 000005
(57)【要約】【課題】  絵柄の変えられる、照明器具を提供する。【解決手段】    電球の周りに出し入れ出きる枠を設け、透明の板と透明の板の間に出し入れできる絵柄の入った紙を挟む事を特徴とする絵柄の変えられる照明器具。【選択図】図１
0003141103.tif 000002
【実用新案登録請求の範囲】
【請求項１】
電球の外周に、出し入れ出きる枠を設け透明の板と透明の板の間に出し入れ出きる、コピーした写真の紙又は絵柄の紙を挟んだ絵柄の変えられる照明器具。
【考案の詳細な説明】
【技術分野】
【０００１】    本考案は、簡単に絵柄の変えられる照明器具に関するものである。
【背景技術】
【０００２】  従来は、照明器具の外周に絵柄の入った行灯形照明器具があった。
【考案の開示】
【考案が解決が解決しょうとする課題】
【０００３】  そのため次のような問題点があった。
（イ）簡単に照明の外周の絵柄が変えることが出来ない。
（ロ）照明の外周に好みの絵柄を入れる事がむずかしい。
【課題を解決するための手段】
【０００４】    電気スタンドの周りに、出し入れ出きる外枠を設け透明の板と透明の板の間に出し入れのできる絵柄の紙を挟むことを特徴とする照明器具。
【考案の効果】
【０００５】    簡単に照明器具の外周の絵柄を変えることができる。
【考案を実施するための最良の形態】
【０００６】    以下、本考案実施の形態を説明する。
電球（１）の周りに、枠（２）と上部枠（８）を設け、透明の板（４）と透明の板（４）の間に紙（５）を挟む、差込口（３）を設ける、通し穴（７）とめ具ボルト（６）ナット（９）を付ける。
本案は以上のような構造でこれを使用するときは、粋（２）に透明の板（４）紙（５）透明の板（４）の順番で重ね、差込口（３）に入れる、次に透明の板（４）紙（５）透明の板（４）の順番で重ねボルト（６）に上部枠（８）と共に穴（７）に通していきナット（９）で止める。
【図面の簡単な説明】
【０００７】
【図１】本考案の断面図
【図２】本考案の斜視図
【符号の説明】
【０００８】    １  電球
２  枠
３  差込口
４  透明の板
５  紙
６  ボルト
７  穴
８  上部枠
９  ナット
【図１】
0003141103.tif 000003
【図２】
0003141103.tif 000004
(57)【要約】      （修正有）【課題】生ごみをバクテリアにより処理するために、装置の外部を保温し、強制的に処理器の底部より空気を供給する装置を備えた生ごみ処理器を提供する。【解決手段】生ごみ処理器において、プラスチック及び金属等の容器１を保温材３で覆い、底部に、強制空気の排出穴を設けた送風管とブロアにより強制的に空気を供給することで、バクテリアによる醗酵を促進する。【選択図】図２
0003141101.tif 000002
【実用新案登録請求の範囲】
【請求項１】
（１）プラスチック及び、金属等で、円筒、円錐、角筒、角錐に成形された、容器を発泡スチロール及びガラスウール等の保温材で覆った生ごみ処理器。
【請求項２】
（１）プラスチック及び、金属等で、円筒、円錐、角筒、角錐に成形された、容器を発泡スチロール及びガラスウール等の保温材で覆った生ごみ処理器の底部に、空気を強制的に供給し醗酵を促進する装置をつけた生ごみ処理器。
【考案の詳細な説明】
【技術の分野】
【０００１】  本発明は、生ごみや残飯をバクテリアにより処理をするために、装置の外部を保温し、強制的に処理器の底部より空気を供給する装置を持った生ごみ処理器。
【背景技術】
【０００２】  従来型の生ごみ処理器においては、円筒、円錐、角筒、角錐に成形された容器に生ごみ、残飯を投入し自然に任せ醗酵を行っている為醗酵に時間がかかる。また通気（酸素）が無いため嫌気性バクテリアが繁殖し悪臭を発散させている。
【考案の開示】
【考案が解決しようとする課題】
【０００３】  バクテリアによる醗酵を促進させるため、地熱、醗酵熱を保温することを特徴としている。【０００４】  バクテリアによる醗酵を促進させるため生ごみ処理器の底部から強制的に空気を送り込み好気性バクテリアによる醗酵を促進することを特徴としている。
【課題を解決するための手段】
【０００５】  生ごみ処理器の外部を発砲スチロールやガラスウール等の断熱材で覆い保温効果を高め醗酵を促進することを特徴としている。【０００６】  生ごみ処理器の底部にブロアを使い強制的に空気を送ることを特徴としている。
【考案の効果】
【０００７】  断熱材で保温することにより高冷地、東北、北海道の地域のように冬季地表が凍結する所でも地熱と醗酵熱により生ごみ処理器内部は、バクテリアの生息条件である、摂氏３０度前後を維持し、処理スピードが速い。また底部より空気を送ることにより、好気性バクテリアの生息条件を満たし悪臭を放さず処理スピードが速い。
【考案を実施するための最良の形態】
【０００８】  以下に、図面を参照して、本発明を適用した生ごみ処理器の一例を説明する。【０００９】  図１Ａは本例の生ごみ処理器を上部視図であり、図１Ｂは上部視図ａ−ａの部分断面図である。【００１０】  本生ごみ処理器はプラスチック及び金属等で、円筒、円錐、角筒、角錐に成形された、１とその器の蓋、２と容器を発砲スチロール及びガラスウール等の保温材、３で覆った生ごみ処理器。【００１１】  従来型の生ごみ処理器は、図１の１と２によって講成されていたが、外気に冷却され醗酵しにくく、３の保温材で覆うことにより醗酵を促進する。【００１２】  図２Ａは本例の生ごみ処理器を上部視図であり、図２Ｂは上部視図ａ−ａの部分断面図である。【００１３】  本生ごみ処理器はプラスチック及び金属等で、円筒、円錐、角筒、角錐に成形された、１とその器の蓋、２と容器を発砲スチロール及びガラスウール等の保温材、３で覆い底部に強制空気の排出穴を設けた送風菅４とブロア５から講成された生ごみ処理器。【００１４】  従来型の生ごみ処理器は、図１の１と２によって講成されていたが、３の保温材を付加し底部から強制的に空気を送り込むことにより嫌気性菌を押え好気性菌の増殖を促進するため、悪臭の排出が無く生ごみの処理も早い。
【実施例】
【００１５】  一般家庭、食堂から保育園、学校、老人ホーム、病院等、給食施設。
【産業上の利用可能性】
【００１６】  生ごみ、残飯は一般廃棄物可燃ごみとして位置づけられていて、各市町村では、クリーンセンターを設け焼却処理をしていて、大量の重油を炊き二酸化炭素を放出しているが、重油の高騰、地球温暖化を考慮し、既存の生ごみ処理器の醗酵速度と悪臭排出を解決することにより街中でも設置可能となる。
【図面の簡単な説明】
【００１７】  本発明を適用した生ごみ処理器の一例を示す概略構成図である。
【図１】  Ａ  上部視図  Ｂ  上部視図  ａ−ａ  部分断面
【図２】  Ａ  上部視図  Ｂ  上部視図  ａ−ａ  部分断面
【符号の説明】
【００１８】  １  本体
２  蓋
３  保温材
４  送風菅
５  ブロア
【図１】
0003141101.tif 000003
【図２】
0003141101.tif 000004
(57)【要約】      （修正有）【解決手段】布団カバー本体１に断熱材３を入れることが出来る袋状のもの２を備えるようにする。【効果】今まで布団で就寝中、布団の中がなかなか暖まらなかったが、断熱材を備えることにより熱効率が良くなり布団の中が暖まるのが早くなり、かつ熱の放出量が少なくなる。また、熱効率が良くなるためエアコンなど余分なエネルギーを使う頻度が低くなる。【選択図】図２
0003141109.tif 000002
【実用新案登録請求の範囲】
【請求項１】
断熱材を入れることが出来る袋を備えることを特徴とする布団カバー
【考案の詳細な説明】
【考案の詳細な説明】
【技術分野】
【００１】本考案は従来の布団カバーに断熱材を入れることが出来る箇所を備えることにより断熱材付き布団として利用できるようにしたものである。
【背景技術】
【００２】従来の布団カバーには断熱材などを備えることが出来るものは無かった。
【考案が解決しようとする課題】
【００３】元来、敷き布団カバーなどは、ただ単に布団が汚れないようにするためや見栄えのため等で利用されているものであるが、床や畳などから冷気が伝わり、布団が冷えてしまうため、その中で就寝している人の体を冷やしてしまう状況である。
本考案はこの課題を解消するためになされたものである。
【課題を解決するための手段】
【００４】布団カバー本体１に断熱材３を入れることが出来る袋状のもの２を備えるようにする。
【考案の効果】
【００５】今まで布団で就寝中、布団の中がなかなか暖まらなかったが、断熱材を備えることにより熱効率が良くなり布団の中が暖まるのが早くなり、かつ熱の放出量が少なくなる
また、熱効率が良くなるためエアコンなど余分なエネルギーを使う頻度が低くなる。
【図面の簡単な説明】
【図１】本体平面図
【図２】本体断面図
【符号の説明】
１  布団カバー本体
２  断熱材を入れる袋部
３  断熱材（断熱シート）
４  布団挿入口
５  布団
【図１】
0003141109.tif 000003
【図２】
0003141109.tif 000004
(57)【要約】      （修正有）【課題】フェイスタオル等を簡単にカフェエプロンとしてて活用できる小道具を提供する。【解決手段】フェイスタオル等を簡単にカフェエプロンにできる、フィッシュクリップ１と綾テープ２を組み合わせたクリップ付きひもである。【選択図】図１
0003141102.tif 000002
【実用新案登録請求の範囲】
【請求項１】
フェイスタオル等を簡単にカフェエプロンとして使えるよう、フィッシュクリップと綾テープを組み合わせた、クリップ付きひも
【考案の詳細な説明】
【技術分野】
【０００１】この実用新案は、フェイスタオル等を簡単にカフェエプロンとして使えるように工夫したクリップつきひもに関するものである。
【背景技術】
【０００２】これまで、フェイスタオル等をカフェエプロンとして使うには、ひもをミシンで縫いつける必要があり、簡単にカフェエプロンとして利用することはできなかった。
【考案の開示】
【考案が解決しようとする課題】
【０００３】そのために、次のような問題点が生じていた。
ひもを購入し、フェイスタオルに縫いつけるには手間がかかるとともに、カフェエプロンとして使用すると、それ以外のの使用ができなくなっていた。
【課題を解決するための手段】
【０００４】フェイスタオル等を簡単にカフェエプロンとして使えるよう、フィッシュクリップと綾テープを組み合わせたクリップ付きひもを考案した。
【考案の効果】
【０００５】・フェイスタオルがいつでもカフェエプロンとしても使えるので、便利で経済的である。
・普通のエプロンに重ねて使うと、手が拭きやすい、水の浸透が少なくズボン等の腹回りが濡れにくい、濡れたり汚したりしてもすぐ交換できるなどの効果がある。
・クリップ付きひもを外すと、もとのタオルとしても使えるるなど、タオルの利用価値が広がる。
・余り布や好みの布でも、簡単にカフェエプロンとして利用できる。
【考案を実施するための最良の形態】
【０００６】以下、本実用新案の実施の形態について説明をする。
（ア）フィッシュクリップと綾テープをつないだものを２本作成する。
（イ）フェイスタオルの上両端をフィッシュクリップで留め、腰に結び、カフェエプロンとして使用。
【図面の簡単な説明】
【０００７】
【図１】本実用新案の斜視図
【図２】本実用新案の原理説明図
【図３】本実用新案の使用説明図
【符号の説明】
【０００８】１はフィッシュクリップ
２は綾テープ
【図１】
0003141102.tif 000003
【図２】
0003141102.tif 000004
【図３】
0003141102.tif 000005
(57)【要約】【課題】本考案は手彫りの刺針を、作業効率が良く安全かつ衛生的に手彫りハンドルに固定でき、再利用することができる刺針固定器具を提供することを目的とする。【解決手段】図２のように刺針４を器具本体１と固定板２を用いて挟み込み、固定ねじ３を締めこんで固定する。又器具に使用する素材を、消毒がしやすく腐食しにくい素材にすることでこの課題を解決することができる。【選択図】図２
0003141107.tif 000002
【実用新案登録請求の範囲】
【請求項１】
手彫りに使用する刺針を器具を用いて上下又は左右に挟み込んで固定することを特徴とする手彫り入れ墨刺針用固定器具。
【考案の詳細な説明】
【技術分野】
【０００１】本考案は手彫りで入れ墨を行う時の刺針の固定に関するものである。
【背景技術】
【０００２】従来入れ墨は図４に示すように木や金属でできた棒状のハンドル５に、一本ないし複数本の針を糸で固定させたり、一本ないし複数本の針を半田で固定した刺針を上記ハンドルに差し込むことが可能なパイプ状のものの先端部を板状に変形させたもの６に半田で固定し、ハンドルを差し込んで手作業で皮下に色素を挿入し着色している。
【考案の開示】
【考案が解決しようとする課題】
【０００３】しかし手彫りハンドルに装着するパイプ状のものに一本ないし複数本の刺針を半田付けすることは作業時間がかかり、作業効率も悪く、衛生面でも半田は人体に有害な物質を含んでいるため、有害物質を取り除く処置を講じなければならない。【０００４】さらに一度使用した刺針は衛生上の問題から使い捨てとされており、刺針ごとパイプ状のものを廃棄するか、パイプ状のものを再利用する場合刺針を外してパイプ状のものに消毒処置等を施さなければならない。【０００５】従来パイプ状のものの先端部を板状に加工する際、角度を付けて変形させ刺針を半田で固定するのであるが、手作業で加工するためパイプ状のものの先端の形状および変形後の角度も不安定である。
【課題を解決するための手段】
【０００６】そこで本考案は、パイプに、機械加工又は成型加工を施したレール付の板を取り付け、その板に刺針を置き固定板を用いて挟み込みねじ等で刺針を固定する器具を考案した。
【考案の効果】
【０００７】板に刺針を挟み込んで固定することにより、従来の半田による刺針の固定作業が省け、作業効率がよくなる。又刺針の取り外しが簡単なので、固定器具を使い捨てではなく、消毒処置等を施した上で何度でも使用できる。【０００８】刺針を半田で固定しないので、有害物質を取り除く処置を講じる必要もない。
又機械加工や成型加工を施しているので、先端の形状や刺針の取り付け角度も安定している。
【考案を実施するための最良の形態】
【０００９】本考案の器具に使用する素材は、再度使用する事を考慮して、消毒がしやすく腐食等が少ない、プラスティック素材や金属ではステンレス鋼などが望ましい。器具本体の裏部分や先端は施術者の手に直接触れる場所なので滑らかに加工すると良い。図２に示すように刺針４は器具本体１と固定板２を用いて挟み込み、固定ねじ３を締めこんで固定する。又器具の刺針を設置する部分は凹み構造になっており、針が左右に脱落するのを防いでいる。
【産業上の利用可能性】
【図面の簡単な説明】
【００１０】
【図１】本考案の手彫り入れ墨刺針用固定器具の斜視図である。
【図２】本考案の手彫り入れ墨刺針用固定器具の分解斜視図である。
【図３】本考案の手彫り入れ墨刺針用固定器具の側面図である。
【図４】従来技術を示す斜視図である。
【符号の説明】
【００１１】１  器具本体
２  固定板
３  固定ねじ
４  刺針
５  棒状のハンドル
６  パイプ状のもの
【図１】
0003141107.tif 000003
【図２】
0003141107.tif 000004
【図３】
0003141107.tif 000005
【図４】
0003141107.tif 000006
(57)【要約】【課題】本考案は、四角環状の指輪の内径寸法を測定するためのリングゲージに関するものである。【解決手段】本考案にかかるリングゲージは、断面が四角形状からなる縦型の棒状体１１からなっており、上端部から下端部に向けて漸次幅広に拡大する截頭角錐状に形成されるとともに、長さ方向で所定間隔ごとに位置表示部１５を設け、該位置表示部に、該当位置の外形寸法または外形寸法に適合した号数を表示してなることを特徴とする。【選択図】  図１
0003141173.tif 000002
【実用新案登録請求の範囲】
【請求項１】
断面が四角形状からなる縦型の棒状体からなっており、上端部から下端部に向けて漸次幅広に拡大する截頭角錐状に形成されると共に、長さ方向で所定間隔毎に位置表示部を設け、該位置表示部に該当位置の外形寸法または外形寸法に適合した号数を表示してなることを特徴とするリングゲージ。
【考案の詳細な説明】
【技術分野】
【０００１】
本考案は、四角環状の指輪の内径寸法を測定するためのリングゲージに関するものである。
【背景技術】
【０００２】
指輪の内径寸法を測定するリングゲージは、円環形状リングであって、個々の内径寸法ごとのサイズに設定されたリングゲージを多数設け、使用者の指に装着してリングサイズを計測しうるようになっている。
しかし、従来のリングゲージは円環形状に限られていたため、近時用いられるようになった略四角環状のリングに適用することができないという不具合があった。
即ち、人の指は、断面が真円より四角形に近い形状であるため、円環形状のリングゲージを用いて測定した場合のサイズは、四角環状のリングのサイズよりも大きくなって合わないという欠点があった。
【特許文献１】実用新案登録第３０１８３９９号公報
【考案の開示】
【考案が解決しようとする課題】
【０００３】
本考案は、上記欠点を解消するために創案されたものであって、その主たる課題は、四角環状の指輪の内径寸法を測定することができるリングゲージを提供することにある。
【課題を解決するための手段】
【０００４】
上記課題を解決するために、
請求項１の考案では、
断面が四角形状からなる縦型の棒状体からなっており、上端部から下端部に向けて漸次幅広に拡大する截頭角錐状に形成されると共に、長さ方向で所定間隔毎に、位置表示部と該当位置の外形寸法または外形寸法に適合した号数を表示してなることを特徴とする。
この考案で、断面が四角形状とは正方形やこれに準じた四角形であって、角部は湾曲または斜めに面取りされた形状も含む。
【考案の効果】
【０００５】
この考案のリングゲージは、截頭角錐形状からなっているので、四角環状の指輪を上から通すことで、その指輪の内径寸法（棒状体の外形寸法）を計測することができる。
【考案を実施するための最良の形態】
【０００６】
ゲージ用の棒状体をその外形寸法が異なる相似形状とすることで、四角環状の指輪のサイズの計測を実現した。
【実施例１】
【０００７】
図１は、この考案の実施例１のリングゲージ１であって、断面が略四角形状からなる縦型の棒状体１１からなっている。
この棒状体１１は、上端部から下端部に向けて漸次幅広に拡大する截頭角錐状に形成されている。
符号１６は棒状体１１の台座である。
【０００８】
そして、棒状体１１の長さ方向で所定間隔毎に、位置表示と該当位置の外形寸法または外形寸法に適合した号数を表示するサイズ表示部１５を有している。
この場合、断面形状は、相似形の四角形からなっている。
【０００９】
本実施例の截頭角錐体からなる棒状体１１の断面形状として、本実施例では図２（ａ）に示すように正方形でコーナー部１１ｃの全部が湾曲に面取りされた四角断面形状を例示したが、面取りしない正方形の四角断面形状（図２（ｂ）参照）、斜めにテーパー状に面取りされた四角断面形状（図２（ｃ）参照）であってもよく、面取り個所のサイズも適宜設定しうるし、４個所あるコーナー部１１ｃの一部だけが面取りされたものでもよい。
また、縦横の辺は直線に限らず外向きに湾曲するなだらかな曲線であってもよい（図２（ｄ）参照）。
【００１０】
また、正方形を基本形状としたが、縦または横のいずれか一方が他方より僅かに長い長方形を基本形状とするものであってもよい。
この場合も、４個所あるコーナー部の全部または一部の個所が面取りされているものでもよし、各辺は曲線で構成されていてもよい。
【００１１】
このように構成されているので、使用者は、四角環状の指輪を棒状体１１のリングゲージ１の上から通してその指輪が水平に掛け止められた位置での位置表示とこれに対応した寸法をサイズ表示部１５から読み取って指輪のサイズを計測することができる。
【００１２】
このように、この考案のリングゲージを用いることで、従来、計測ができなかった四角環状の指輪のサイズを容易に計測することができる。
この考案は、上記実施例に限定されず、この考案の要旨を変更しない範囲で種々設計変更しうること勿論である。
【図面の簡単な説明】
【００１３】
【図１】実施例１のリングゲージの斜視図である。
【図２】棒状体の断面図であって、（ａ）はコーナーが湾曲状に面取りされたもの、（ｂ）はコーナーが直角のもの、（ｃ）はコーナーが斜線状に面取りされたもの、（ｄ）は縦、横の辺が湾曲したものである。
【符号の説明】
【００１４】
１    リングゲージ
１１    棒状体
１１ｃ  コーナー部
１５    サイズ表示部
１６    台座
【図１】
0003141173.tif 000003
【図２】
0003141173.tif 000004
(57)【要約】      （修正有）【課題】火力が強くても安全性に優れていて、透明上蓋を載置することにより火鉢を使用しない時でも火鉢が見え、囲炉裏の雰囲気を満喫でき、取り外し可能な支柱を外し、なお上蓋をする事により天板上面が水平になり全部分テーブル同様になる囲炉裏座卓を提供する。【解決手段】天板Ａに支柱Ｅを立設する事により鍋Ｆが吊れ、天板Ａに埋め込んだ箱Ｃと火鉢Ｂの間に空間部Ｄを設け空間部Ｄを不燃物で充填することにより、火力が強くても安全であり、座卓に火鉢Ｂを設置することにより移動可能にでき、さらに支柱Ｅを取り外し可能にし、支柱Ｅを外し、火鉢Ｂに上蓋をすることにより、テ−ブルと同様に天板上面を全部分水平にでき実用的であり、上蓋は透明のため火鉢が見えることにより囲炉裏気分が満喫できる。【選択図】図１
0003141176.tif 000002
【実用新案登録請求の範囲】
【請求項１】
木製天板Aの下面に、脚Gを施置し、天板A上面の周縁よりに、方形に切り抜き、該切り抜き部分に、有低の箱Ｃを埋め込み、該箱Ｃの中に周縁が接合しないように、箱Ｃより小さい火鉢Ｂを設置し箱Ｃと火鉢Bの間に形成される空間部Ｄを設け、該空間部Ｄに不燃物を充填し、取り外し可能な支柱Eを立設した事を特徴とする囲炉裏座卓。
【請求項２】
前記天板Ａに埋め込んだ箱Ｃの上面に合致する透明上蓋Ｈを載置することができる載置部Ｉが形成されている事を特徴とする請求項１記載の囲炉裏座卓。
【請求項３】
天板Ａの上面周縁寄りに、支柱立設用の穴を空け、支柱Ｅ下面にほぞを形成し、取り外し可能に支柱Ｅを立設し、支柱先端部を火鉢Ｂ中心部上方に向けて伸ばし、同先端部の火鉢中心部上方位置に、鍋Ｆ用の吊り下げ部材を設けた事を特徴とする請求項１又は請求項２記載の囲炉裏座卓。
【考案の詳細な説明】
【技術分野】
【０００１】
本考案は可搬囲炉裏座卓に関するものである。
【背景技術】
【０００２】
従来より多く存在した木製角火鉢、床に埋め込む囲炉裏、移動式いろりセット。
【特許文献１】実開平１−５８２２０号公報
【考案の開示】
【考案が解決しようとする課題】
【０００３】
従来の木製角火鉢は火鉢と天板が接合していて火力が強いと焦げる又は燃える可能性があり安全性を追求したいし、木製角火鉢は火鉢としての利用度しかなく現在の生活習慣においてあまり必要ではない、しかしながら年輩者には懐かしむ声もあり現代的で実用的なものにしたい。
【０００４】
床を切り抜き、天井又は梁より鍋を吊す昔ながらの囲炉裏は現在の住宅事情において施置する場所がとれない、しかしながら囲炉裏を懐かしむ声も多い。
【０００５】
移動いろりセットは囲炉裏の雰囲気を楽しめるが天板部分が狭く現在の生活習慣において不便であり、周縁が燃え易いし上蓋をすると囲炉裏の雰囲気が満喫できない。
【課題を解決するための手段】
【０００６】
そこで本考案は木製天板の下面に、脚を施置し、天板上面の周縁よりに、方形に切り抜き、該切り抜き部分に、有低の箱Ｃを埋め込み、該箱の中に周縁が接合しないように、箱より小さい火鉢を設置し箱と火鉢の間に形成される空間部を設け、該空間部に不燃物を充填する。
【０００７】
前記天板に埋め込んだ箱の上面に合致する透明上蓋を載置し、天板の上面周縁寄りに、支柱立設用の穴を空け、支柱下面にほぞを形成し、取り外し可能に支柱を立設し、支柱先端部を火鉢中心部上方に向けて伸ばし、同先端部の火鉢中心部上方位置に、鍋用の吊り下げ部材を設る。
【考案の効果】
【０００８】
本考案によれば火力が強くても安全性に優れていて、透明上蓋を載置することにより火鉢を使用しない時でも火鉢が見え、囲炉裏の雰囲気を満喫でき、取り外し可能な支柱を外し、なお上蓋をする事により天板上面が水平になり全部分テ−ブル同様になり囲炉裏座卓としても実用的である。                                                          
【考案を実施するための最良の形態】
【０００９】
以下、図面に基づいて本考案を詳細に説明する。
【実施例】
【００１０】
木製天板Ａの下面に、脚Gを設置し、天板A上面の片端に、方形に切り抜き、該切り抜き部分に、有低の箱Cを埋め込み、該箱Cの中に周縁が接合しないように箱Cより小さい火鉢Bと、箱Cに空間部Dを設け該空間部Dに、不燃物を充填する。      
【００１１】
火鉢Bと空間部Dの間は特に限定しないがあまり広いと無駄であるので、３０mm位が好ましい、天馬A切り抜き方形は特に限定しないが、火鉢の上面の形によりバランスを考慮し形成する、本考案は火鉢Bが丸形のため、バランスを考慮し正方形に形成する。
【００１２】
天板Aの素材は特に限定するものではなが、無垢材の一枚板を採用する事により、豪華であり高級感をかもしだす、  天板Aの寸法は特に限定しないが、天板の厚さは４５mm
以下でよいが、そりが生じる可能性があり、４５mm以上を使用することにより豪華さも有り好ましい、脚Gの施置工法は特に限定しないし素材も限定しないが堅木か天板Aと同素材が好ましい。
【００１３】
前記天板Aにはめ込む箱Cの素材は限定しないが、木製の場合は腐敗し難い素材が好ましい、箱Cの内面に腐敗防止材を塗ることにより腐敗を防止することが望ましく、空間部Dに充填する不燃物は砂又は砂利が密度が濃く上面が美しく仕上がり好ましい。
【００１４】
天板Aに埋め込んだ箱Cの上面周縁に合致する透明上蓋Hを有し、上蓋を載置する載置部Iが形成されている、図３記載、本考案の透明上蓋Hは特に限定しないが透明樹脂3mmを使用する。
【００１５】
前記天板Aの上面周縁寄りに、取り外し可能な支柱Eを立設するため、天板Aの周縁寄りに穴を空け、支柱E下面にほぞを形成し、支柱先端部を火鉢中心部上方に向けて伸ばし、同先端部の火鉢中心部上方位置に鍋F用の吊り下げ部材を設ける。
【００１６】
前記支柱Eの素材は特に限定しないが、木製の１本の無垢材の自然の曲がり又は枝を利用することにより風流さを満喫できるようにする。
【図面の簡単な説明】
【００１７】
【図１】全体図
【図２】考案の特徴を示す上面図
【図３】上蓋載置部断面図
【符号の説明】
【００１８】
A  天板
B  火鉢
C  天板に埋め込む箱
D  空間部不燃物
E  支柱
F  鍋
G  脚
H  透明上蓋
I  上蓋載置部                                      
【図１】
0003141176.tif 000003
【図２】
0003141176.tif 000004
【図３】
0003141176.tif 000005
(57)【要約】      （修正有）【課題】環境を害することなく、さほど労せずして板を安定に置いて切断するための作業台を提供する。【解決手段】平面視長方形の支持枠４及びこの支持枠４の両端にそれぞれ上端がヒンジ結合された左右一対の脚５、６からなり、開脚時に正面視門形状をなす脚体と、長辺及び短辺がそれぞれ支持枠４の長辺及び短辺よりも長い平面視長方形の輪郭を有し、内側に種々の面積の開口が形成され且つ開口部分を除く上面が面一となるように角木材を組み合わせてなり、前記支持枠４の上面にねじにて着脱可能に固定される天枠３とを備える。【選択図】図２
0003141187.tif 000002
【実用新案登録請求の範囲】
【請求項１】
平面視長方形の支持枠及びこの支持枠の両端にそれぞれ上端がヒンジ結合された左右一対の脚からなり、開脚時に正面視門形状をなす脚体と、
長辺及び短辺がそれぞれ支持枠の長辺及び短辺よりも長い平面視長方形の輪郭を有し、内側に種々の面積の開口が形成され且つ開口部分を除く上面が面一となるように角木材を組み合わせてなり、前記支持枠の上面にねじにて着脱可能に固定される天枠と
を備えることを特徴とする、板切断用作業台。
【請求項２】
前記天枠は同形同質の左半部と右半部との二体からなり、各半部が正方形の輪郭の内側に「立」の字が形成された平面視形状を有する請求項１に記載の板切断用作業台。
【考案の詳細な説明】
【技術分野】
【０００１】
この考案は、上面にベニヤ板や耐火ボードなどの板を置いて電動丸鋸などで板を切断するための作業台に関する。
【背景技術】
【０００２】
従来、家屋などを建築する現場で電動丸鋸などでベニヤ板や耐火ボードなどの板を切断する場合、鋸刃が傷んだり、丸鋸の重さで板が撓んだりすることのないように、板の下に使用済みの発砲スチロール板を敷いたり、不要となった角木材を間隔をあけて数本並べたりしていた。また、捨て板を載せてその上に板を置いて切断するための作業台も市販されている（非特許文献１）。
【非特許文献１】http://www.yayoikagaku.co.jp/yayoipage/ypcatalog.Html［平成２０年２月４日検索］
【考案の開示】
【考案が解決しようとする課題】
【０００３】
しかし、発砲スチロール板を敷いて切断する場合、適当な大きさの発泡スチロールが常に身近にあるとは限らないし、発砲スチロールの切り屑が散って環境を害する。また、不要な角木材を敷いて切断する場合、角木材を間隔をあけていちいち並べるのは面倒である。また、非特許文献記載の作業台の場合、捨て板ががたついて切断しにくい。
それ故、この考案の課題は、環境を害することなく、さほど労せずして板を安定に置いて切断するための作業台を提供することにある。
【課題を解決するための手段】
【０００４】
その課題を解決するために、この考案の板切断用作業台は、
平面視長方形の支持枠及びこの支持枠の両端にそれぞれ上端がヒンジ結合された左右一対の脚からなり、開脚時に正面視門形状をなす脚体と、
長辺及び短辺がそれぞれ支持枠の長辺及び短辺よりも長い平面視長方形の輪郭を有し、内側に種々の面積の開口が形成され且つ開口部分を除く上面が面一となるように角木材を組み合わせてなり、前記支持枠の上面にねじにて着脱可能に固定される天枠と
を備えることを特徴とする。
【０００５】
この考案の作業台を用いて板を切断するときは、脚体を開いて立て、板を天枠の上に載せる。天枠は開口部分を除く上面が面一となっているので、板の安定性が保たれる。しかも、開口を有するので切断中の抵抗が少なく、切断しやすい。天枠は種々の面積の開口を有するから、面積の小さい板を切断するときは、それに合わせて小さい面積の開口を囲む角木材の上に板を載せればよい。作業終了後は、脚体を閉じることにより、作業台が運びやすくなる。切り屑は木屑だけであるから、掃除して可燃ゴミとして捨てることができる。板を切断中、鋸刃が角木材の上面をも削ることになるので、多数回の使用により天枠の上面の損傷が激しくなってきたら、天枠のみ交換すればよい。
【考案の効果】
【０００６】
以上のように、環境を害することなく、さほど労せずして種々の大きさの板を安定に置いて切断することができるので、作業がはかどる。
【考案を実施するための最良の形態】
【０００７】
この考案の実施形態を図面とともに説明する。図１は実施形態に係る板切断用作業台（以下、単に作業台という。）を示す斜視図、図２は正面図、図３は右側面図である。
作業台１は、脚体２及び天枠３を備える。脚体２は、単独で図４に平面図として示す長方形の金属製支持枠４、及びこの支持枠４の両端にそれぞれ上端がヒンジ結合された左右一対の脚５、６からなる。従って、脚体２は、開脚時には水平に寝た支持枠４と垂直に立った脚５、６とで図２に示すとおり正面視門形状をなす。また、支持枠４は、それ自体が長寸方向の中間で二つ折り可能にヒンジ結合されている。
【０００８】
天枠３は、単独で図５に平面図として示すように同形同質の左半部と右半部との二体からなる。各半部は支持枠４の短辺及び長辺の二分の一よりも長い６本の角木材３ａ、同じ太さでやや短い２本の角木材３ｂ、同じ太さで更に短い１本の角木材３ｃの合計９本を組み合わせて結合することにより、正方形の輪郭の内側に「立」の字が形成された平面視形状を有する。従って、天枠３全体の輪郭は、長辺及び短辺がそれぞれ支持枠４の長辺及び短辺よりも長い平面視長方形をなし、その内側に種々の面積の方形の開口が形成され且つ開口部分を除く上面が面一となっている。天枠３の各半部は、支持枠４側からねじ嵌合される図略のビスにて支持枠４の上面にそれぞれ着脱可能に固定される。従って、天枠３は、支持枠４の二つ折り時に支持枠４に追従して二分割可能である。
【０００９】
次に、この作業台１を用いて板を切断する手順を説明する。先ず、脚体２を開いて立て、図略の板を天枠３の上に載せる。そして、板を押さえながら丸鋸で切断する。天枠３は開口部分を除く上面が面一となっているので、板ががたつくことはない。しかも、天枠３が開口を有するので切断中の抵抗が少なく、切断しやすい。一度切断された板を更に小さく切断するときは、それに合わせて小さい面積の開口を囲む角木材の上に板を載せて切断する。作業終了後は、脚体２を図６に示すように閉じることにより、コンパクトになり作業台１が運びやすくなる。切り屑は木屑だけであるから、掃除して可燃ゴミとして捨てることができる。板を切断中、鋸刃が角木材の上面をも削ることになるので、多数回の使用により天枠３の上面の損傷が激しくなってきたら、天枠３のみ交換すればよい。
【図面の簡単な説明】
【００１０】
【図１】実施形態の板切断用作業台を示す斜視図である。
【図２】同じく正面図である。
【図３】同じく右側面図である。
【図４】脚体を示す平面図である。
【図５】天枠を示す平面図である。
【図６】作業台を折りたたむ過程を示す正面図である。
【符号の説明】
【００１１】
１  板切断用作業台
２  脚体
３  天枠
４  支持枠
５、６  脚
３ａ、３ｂ、３ｃ  角木材
【図１】
0003141187.tif 000003
【図２】
0003141187.tif 000004
【図３】
0003141187.tif 000005
【図４】
0003141187.tif 000006
【図５】
0003141187.tif 000007
【図６】
0003141187.tif 000008